(57)【特許請求の範囲】
【請求項１】
原稿の画像面をスキャンしてフルカラーのデータ成分を読み取って画像信号を出力するスキャン動作を行なう画像読取手段と、該手段からの少なくとも最大画像サイズの１／２サイズ分の画像信号を記憶する画像記憶手段と、前記画像読取手段あるいは前記画像記憶手段からの画像信号をフルカラー画像形成用の画像信号に変換する処理を含む画像処理を行なって出力する画像処理手段と、該手段からの画像信号に基づいて画像保持体上に複数色の画像を重ね合わせてフルカラー画像を形成する画像形成手段と、前記画像読取手段からの画像信号を前記画像記憶手段又は前記画像処理手段に出力する制御あるいは前記画像記憶手段からの画像信号を前記画像処理手段に出力する制御を選択的に行なう出力制御手段とを備えたことを特徴とするカラー画像形成装置。
【請求項２】
請求項１記載のカラー画像形成装置において、
前記画像読取手段によって画像面がスキャンされる原稿のサイズを判別する原稿サイズ判別手段を設け、前記出力制御手段が、前記原稿サイズ判別手段によって判別されたサイズが前記画像記憶手段が前記画像読取手段からの画像信号を記憶できるサイズである場合には、該画像信号を該画像記憶手段と前記画像処理手段の両方に、前記画像記憶手段が前記画像読取手段からの画像信号を記憶できないサイズである場合には、該画像信号を前記画像処理手段のみにそれぞれ出力するようにしたことを特徴とするカラー画像形成装置。
【請求項３】
請求項１記載のカラー画像形成装置において、
画像形成開始指示がなされた時に、前記画像読取手段によって画像面がスキャンされる原稿の入れ替えの有無を判断する原稿入替有無判断手段と、該手段によって前記原稿の入れ替えがあると判断された場合には、前記画像読取手段によるスキャン動作の実行を、前記原稿の入れ替えがないと判断された場合には、前記画像記憶手段に記憶されている画像信号の読み出し動作の実行をそれぞれ決定する動作決定手段とを設けたことを特徴とするカラー画像形成装置。
【請求項４】
請求項１記載のカラー画像形成装置において、
前記画像記憶手段への書き込み動作時あるいは読み出し動作時に画像信号を回転させる画像回転手段と、前記画像読取手段によって画像面がスキャンされる原稿のサイズ及び方向を判別する原稿サイズ・方向判別手段と、該手段によって判別されたサイズ及び方向が前記画像読取手段からの画像信号を回転させずに前記画像保持体上にフルカラー画像を２つ形成できるサイズ及び方向である場合には、前記画像回転手段によって画像信号を回転させる必要がないと判断し、前記画像読取手段からの画像信号を回転させることによって前記画像保持体上にフルカラー画像を２つ形成できるサイズ及び方向である場合には、前記画像回転手段によって画像信号を回転させる必要があると判断する回転実行可否判断手段とを設けたことを特徴とするカラー画像形成装置。
【請求項５】
請求項１記載のカラー画像形成装置において、複数の給紙トレイを有し、その各給紙トレイ内の用紙サイズ及び方向をそれぞれ判別する用紙サイズ・方向判別手段と、前記各給紙トレイ内の用紙の有無をそれぞれ判断する用紙有無判断手段と、該手段によって給紙中の給紙トレイに用紙がなくなったと判断された場合に、前記用紙サイズ・方向判別手段による判別結果に基づいてサイズが同一で方向が異なる用紙が収納された他の給紙トレイの有無を判断する他トレイ有無判断手段と、該手段によって該給紙トレイがあると判断された場合に、該給紙トレイからの給紙に変更する給紙変更手段と、該手段による給紙変更が行なわれた時に、前記画像記憶手段に記憶されている画像信号を９０度又は２７０度回転させる画像回転手段とを設けたことを特徴とするカラー画像形成装置。
【発明の詳細な説明】
【０００１】
【発明の属する技術分野】
この発明は、デジタルカラー複写機，カラーファクシミリ装置，あるいはそれらを統合した複合機等のカラー画像形成装置に関する。
【０００２】
【従来の技術】
上記のようなカラー画像形成装置として、例えばスキャナ（画像読取手段）が原稿の画像面をスキャンしてフルカラーのデータ成分を読み取ってＲ（レッド），Ｇ（グリーン），Ｂ（ブルー）の画像信号を出力するスキャン動作を行ない、その画像信号を画像処理部（画像処理手段）がＫ（ブラック），Ｃ（シアン），Ｍ（マゼンダ），Ｙ（イエロー）のフルカラー画像形成用の画像信号に変換する処理を含む画像処理を行なった後、その画像信号に基づいてプリンタ（画像形成手段）が画像保持体上にＫ，Ｃ，Ｍ，Ｙの画像を重ね合わせてフルカラー画像を形成するようにしたものがある。
【０００３】
ここで、上記スキャナ及び画像処理部内の色変換回路について、もう少し具体的に説明する。
スキャナは、ミラー，光源等と一体になった走行体を移動させることにより、コンタクトガラス上にセットされた原稿の下面（画像面）をスキャンし、例えばその原稿面からの反射光像を各種ミラー及びレンズを介してカラーラインセンサに入射させる。
【０００４】
なお、カラーラインセンサは、Ｒ，Ｇ，Ｂ用の各カラーフィルタとＣＣＤ（受光素子）とからなり、レンズからの反射光像を各カラーフィルタを通して各ＣＣＤの受光面に結像させ、Ｒ，Ｇ，Ｂの画像信号に変換して出力させる。これは、デジタルカラー複写機で用いられる公知の技術である。
【０００５】
画像処理部内の色変換回路は、例えばＲ，Ｇ，Ｂの画像信号を以下の（１）〜（４）に示すようにしてＫ，Ｃ，Ｍ，Ｙの画像信号に変換する。この場合、スキャナは１枚の原稿に対して４回スキャン動作を行なう。
【０００６】
（１）メイン制御部からのＫ変換用パラメータを設定し、スキャナから１回目のスキャン動作によって出力されるＲ，Ｇ，Ｂの画像信号をＫ変換用パラメータを用いてＫ画像信号に変換する。
（２）メイン制御部からのＣ変換用パラメータに設定変更し、スキャナから２回目のスキャン動作によって出力されるＲ，Ｇ，Ｂの画像信号をＣ変換用パラメータを用いてＣ画像信号に変換する。
【０００７】
（３）メイン制御部からのＭ変換用パラメータに設定変更し、スキャナから３回目のスキャン動作によって出力されるＲ，Ｇ，Ｂの画像信号をＭ変換用パラメータを用いてＭ画像信号に変換する。
（４）メイン制御部からのＹ変換用パラメータに設定変更し、スキャナから４回目のスキャン動作によって出力されるＲ，Ｇ，Ｂの画像信号をＹ変換用パラメータを用いてＹ画像信号に変換する。
【０００８】
ところが、スキャナで１枚の原稿に対して４回もスキャン動作が行なわれるということは、そのフルカラーコピーを１枚とるだけで多くの時間がかかることになり、コピーの生産性が低く、しかも装置の寿命が短くなる。
【０００９】
そこで、その問題点を解消するために、例えばスキャナから１回のスキャン動作によって出力されるＲ，Ｇ，Ｂの画像信号を画像処理部の各色変換回路によってＫ，Ｃ，Ｍ，Ｙの画像信号に一括変換する処理を含む画像処理を行なった後、その各画像信号をまとめて画像メモリ（画像記憶手段）に記憶し、その後その各画像信号を順次プリンタに送って画像保持体上にフルカラー画像を形成するようにしたカラー画像形成装置も存在する。
【００１０】
このようなカラー画像形成装置では、１枚の原稿に対してスキャン動作を１回行なうだけで、そのフルカラーコピーを何枚もとれるため、コピーの生産性及び装置の耐久性が飛躍的に高まるが、単に画像メモリを追加しただけでなく、Ｒ，Ｇ，Ｂの画像信号をＫ，Ｃ，Ｍ，Ｙの画像信号に一括変換しなければならないため、色変換回路が前述のカラー画像形成装置と比較して４倍も必要になり、装置全体のコストが大幅に上昇するという別の問題がある。
そこで、その問題を解消するため、例えば特開平３−２７４８５４号公報に見られるようなカラー画像形成装置が提案されている。
【００１１】
このような画像形成装置では、読み取り部（スキャナ）の１回目のスキャン動作（走査）によって出力されるＲ，Ｇ，Ｂの画像信号をマスキング部（Ｋ，Ｙ，Ｍ，Ｃ用の各色変換回路を含む）によってＫ，Ｙ，Ｍ，Ｃの画像信号に変換する等の処理を行なった後、そのうちのＫ画像信号を直接書き込み部（プリンタ）に送ってＫの画像形成を行なわせると同時に、Ｙ画像信号を一旦画像メモリに蓄え（書き込み）、Ｋの画像形成が終了した時（読み取り部がリターン動作を開始する頃）に画像メモリに蓄えたＹ画像信号を書き込み部に送ってＹの画像形成を行なわせる。
【００１２】
その後、読み取り部による２回目のスキャン動作によって出力されるＲ，Ｇ，Ｂの画像信号をマスキング部によって再びＫ，Ｙ，Ｍ，Ｃの画像信号に変換する等の処理を行なった後、そのうちのＭ画像信号を直接書き込み部に送ってＭの画像形成を行なわせると同時に、Ｃ画像信号を一旦画像メモリに蓄え、Ｍの画像形成が終了した時に画像メモリに蓄えたＣの画像信号を書き込み部に送ってＣの画像形成を行なわせる。
【００１３】
【発明が解決しようとする課題】
このようなカラー画像形成装置においては、画像メモリに１色分の画像信号を記憶するだけでよいが、Ｒ，Ｇ，Ｂの画像信号をＫ，Ｙ，Ｍ，Ｃの画像信号に一括変換するための色変換回路を使用しているため、やはり装置全体のコストが上昇してしまう。また、１枚の原稿に対して２回のスキャン動作を行なう必要があるため、コピーの生産性及び装置の耐久性が多少低下してしまう。
【００１４】
この発明は上記の問題点に鑑みてなされたものであり、カラー画像形成装置において、コストの上昇を抑えると共に、コピーの生産性及び装置の耐久性を向上させることを目的とする。
【００１５】
【課題を解決するための手段】
この発明は、上記の目的を達成するため、原稿の画像面をスキャンしてフルカラーのデータ成分を読み取って画像信号を出力するスキャン動作を行なう画像読取手段と、該手段からの少なくとも最大画像サイズの１／２サイズ分の画像信号を記憶する画像記憶手段と、画像読取手段あるいは画像記憶手段からの画像信号をフルカラー画像形成用の画像信号に変換する処理を含む画像処理を行なって出力する画像処理手段と、該手段からの画像信号に基づいて画像保持体上に複数色の画像を重ね合わせてフルカラー画像を形成する画像形成手段と、画像読取手段からの画像信号を画像記憶手段又は画像処理手段に出力する制御あるいは画像記憶手段からの画像信号を画像処理手段に出力する制御を選択的に行なう出力制御手段とを備えたカラー画像形成装置を提供する。
【００１６】
また、画像読取手段によって画像面がスキャンされる原稿のサイズを判別する原稿サイズ判別手段を設け、出力制御手段が、原稿サイズ判別手段によって判別されたサイズが画像記憶手段が画像読取手段からの画像信号を記憶できるサイズである場合には、該画像信号を画像記憶手段と画像処理手段の両方に、画像記憶手段が画像読取手段からの画像信号を記憶できないサイズである場合には、該画像信号を画像処理手段のみにそれぞれ出力するようにするとよい。
さらに、画像形成開始指示がなされた時に、画像読取手段によって画像面がスキャンされる原稿の入れ替えの有無を判断する原稿入替有無判断手段と、該手段によって原稿の入れ替えがあると判断された場合には、画像読取手段によるスキャン動作の実行を、原稿の入れ替えがないと判断された場合には、画像記憶手段に記憶されている画像信号の読み出し動作の実行をそれぞれ決定する動作決定手段とを設けてもよい。
【００１７】
さらにまた、画像記憶手段への書き込み動作時あるいは読み出し動作時に画像信号を回転させる画像回転手段と、画像読取手段によって画像面がスキャンされる原稿のサイズ及び方向を判別する原稿サイズ・方向判別手段と、該手段によって判別されたサイズ及び方向が画像読取手段からの画像信号を回転させずに画像保持体上にフルカラー画像を２つ形成できるサイズ及び方向である場合には、画像回転手段によって画像信号を回転させる必要がないと判断し、画像読取手段からの画像信号を回転させることによって画像保持体上にフルカラー画像を２つ形成できるサイズ及び方向である場合には、画像回転手段によって画像信号を回転させる必要があると判断する回転実行可否判断手段とを設けてもよい。
【００１８】
また、複数の給紙トレイを有し、その各給紙トレイ内の用紙サイズ及び方向をそれぞれ判別する用紙サイズ・方向判別手段と、各給紙トレイ内の用紙の有無をそれぞれ判断する用紙有無判断手段と、該手段によって給紙中の給紙トレイに用紙がなくなったと判断された場合に、用紙サイズ・方向判別手段による判別結果に基づいてサイズが同一で方向が異なる用紙が収納された他の給紙トレイの有無を判断する他トレイ有無判断手段と、該手段によって該給紙トレイがあると判断された場合に、該給紙トレイからの給紙に変更する給紙変更手段と、該手段による給紙変更が行なわれた時に、画像記憶手段に記憶されている画像信号を９０度又は２７０度回転させる画像回転手段とを設けてもよい。
【００１９】
この発明のカラー画像形成装置では、出力制御手段が、画像読取手段からの画像信号をそのまま画像処理手段に出力したり、画像記憶手段に出力して一旦記憶させ、その画像信号を画像処理手段に出力する。
例えば、画像読取手段による１回のスキャン動作によって入力される画像信号を画像処理手段及び画像記憶手段に同時に出力する。
【００２０】
それによって、例えば画像処理手段の色変換回路がＫ変換用パラメータを設定して画像読取手段からのＲ，Ｇ，Ｂの画像信号をそのパラメータを用いてＫ画像信号に変換し、画像処理手段の他の回路がそのＫ画像信号に対して空間フィルタに関する処理を含む他の画像処理を行ない、画像形成手段がそのＫ画像信号に基づいて画像保持体上にＫ画像を形成する。
一方、画像記憶手段が画像読取手段からのＲ，Ｇ，Ｂの画像信号を記憶する。
【００２１】
その後、出力制御手段が画像記憶手段からのＲ，Ｇ，Ｂの画像信号を画像処理手段に出力する。
それによって、画像処理手段の色変換回路がＣ変換用パラメータに設定変更して画像記憶手段からのＲ，Ｇ，Ｂの画像信号をそのパラメータを用いてＣ画像信号に変換し、画像処理手段の他の回路がそのＣ画像信号に対して空間フィルタに関する処理を含む他の画像処理を行ない、画像形成手段がそのＣ画像信号に基づいて画像保持体上にＣ画像を形成する。
【００２２】
次に、画像処理手段の色変換回路がＭ変換用パラメータに設定変更して画像記憶手段からのＲ，Ｇ，Ｂの画像信号をそのパラメータを用いてＭ画像信号に変換し、画像処理手段の他の回路がそのＭ画像信号に対して空間フィルタに関する処理を含む他の画像処理を行ない、画像形成手段がそのＭ画像信号に基づいて画像保持体上にＭ画像を形成する。
【００２３】
最後に、画像処理手段の色変換回路がＹ変換用パラメータに設定変更して画像記憶手段からのＲ，Ｇ，Ｂの画像信号をそのパラメータを用いてＹ画像信号に変換し、画像処理手段の他の回路がそのＹ画像信号に対して空間フィルタに関する処理を含む他の画像処理を行ない、画像形成手段がそのＹ画像信号に基づいて画像保持体上にＹ画像を形成する。
なお、色変換手段による色変換の順序はＫ，Ｃ，Ｍ，Ｙの順序に限るものではない。
【００２４】
このように、このカラー画像形成装置では、画像記憶手段に画像読取手段からの画像信号（例えばＲ，Ｇ，Ｂの画像信号）を記憶するため、その画像記憶手段のメモリ容量をフルカラー画像形成用の画像信号（例えばＫ，Ｃ，Ｍ，Ｙの画像信号）を記憶する画像記憶手段のメモリ容量よりも小さくすることができ、しかも画像処理手段が画像読取手段あるいは画像記憶手段からの画像信号をフルカラー画像形成用の画像信号に一括変換しなくてもよいため、装置全体のコストの上昇を抑えることができる。また、１枚の原稿に対してスキャン動作を１回行なうだけで、そのフルカラーコピーを何枚もとれるため、コピーの生産性及び装置の耐久性が大幅に向上する。
【００２５】
また、画像読取手段によって画像面がスキャンされる原稿のサイズを判別する原稿サイズ判別手段を設け、それによって判別されたサイズが画像記憶手段が画像読取手段からの画像信号を記憶できるサイズである場合には、該画像信号を画像記憶手段と画像処理手段の両方に、画像記憶手段が画像読取手段からの画像信号を記憶できないサイズである場合には、該画像信号を画像処理手段のみにそれぞれ出力することもできる。
例えば、最大画像サイズをＡ３とし、画像記憶手段のメモリ容量を最大画像サイズの１／２サイズ（Ａ４）の画像信号までを記憶できるメモリ容量とした場合、画像読取手段から出力される画像信号がＡ４以下の画像信号であれば、それを画像記憶手段と画像処理手段の両方に出力することにより、１枚の原稿に対してスキャン動作を１回行なうだけで、そのフルカラーコピーを何枚もとることができる。
【００２６】
画像読取手段から出力される画像信号がＡ３の画像信号であれば、その画像信号を画像記憶手段に記憶できないため、その画像信号を画像処理手段のみに出力することにより、１枚の原稿に対するスキャン動作は１回で済まないが、そのフルカラーコピーをとることが可能になり、装置の使い勝手が向上する。
【００２７】
さらに、画像形成開始指示がなされた時に、画像読取手段によって画像面がスキャンされる原稿の入れ替えの有無を判断し、原稿の入れ替えがある場合には画像読取手段によるスキャン動作の実行を、原稿の入れ替えがない場合には（但し電源投入後少なくとも１回はスキャン動作が行なわれていることが必要）画像記憶手段に記憶されている画像信号の読み出し動作の実行をそれぞれ決定し、その決定した動作を行なわせることもできる。
【００２８】
それによって、原稿の入れ替えがない時には画像読取手段にスキャン動作を行なわせなくても前回と同じ原稿のフルカラーコピーをとることができる。したがって、処理効率が高まり、コピーの生産性及び装置の耐久性がより向上する。
【００２９】
さらにまた、画像読取手段によって画像面がスキャンされる原稿のサイズ及び方向を判別する原稿サイズ・方向判別手段を設け、その判別結果に応じて画像記憶手段への書き込み動作時あるいは読み出し動作時に画像信号を回転させるか否かを判断する。つまり、判別したサイズ及び方向が画像読取手段からの画像信号を回転させずに画像保持体上にフルカラー画像を２つ形成できるサイズ及び方向である場合には、画像回転手段によって画像信号を回転させる必要がないと判断し、画像読取手段からの画像信号を回転させることによって画像保持体上にフルカラー画像を２つ形成できるサイズ及び方向である場合には、画像回転手段によって画像信号を回転させる必要があると判断する。例えば、最大画像サイズをＡ３とした場合、画像読取手段から出力される画像信号がＡ４以下の画像信号であれば、その画像信号を画像記憶手段への書き込み動作時あるいは読み出し動作時に必要に応じて回転させ、その画像信号を画像処理手段に画像形成色毎に２回出力することにより、最終的に画像形成手段内の画像保持体上に同一のフルカラー画像を２つ形成できるため、コピーの生産性をさらに向上させることができる。
【００３０】
また、複数の給紙トレイを有し、その各給紙トレイ内の用紙サイズ及び方向をそれぞれ判別する用紙サイズ・方向判別手段と、各給紙トレイ内の用紙の有無をそれぞれ判断する用紙有無判断手段とを設け、その用紙有無判断手段によって給紙中の給紙トレイに用紙がなくなったと判断された場合に、用紙サイズ・方向判別手段による判別結果に基づいてサイズが同一で方向が異なる用紙が収納された他の給紙トレイの有無を判断し、その給紙トレイがあればその給紙トレイからの給紙に変更すると共に、画像記憶手段に記憶されている画像信号を９０度又は２７０度回転させることにより、リピートコピー（ジョブ）の中断を防止することもできる。
【００３１】
【発明の実施の形態】
以下、この発明の実施形態を図面に基づいて具体的に説明する。
図２はこの発明の一実施形態であるデジタルカラー複写機の機構部を示す概略構成図であり、図３は図２に示した感光体ドラム及び中間転写ベルト回りの部分拡大図である。
【００３２】
このデジタルカラー複写機は、スキャナ（画像読取手段）１，プリンタ（画像形成手段）２，及び自動原稿給送装置（自動原稿給送手段）４０からなり、図示しない操作部上のキー操作によって必要なコピー条件が設定された後、スキャナ１のコンタクトガラス３上に原稿がセットされた状態で操作部上のスタートキーが押下されると、図示しないメイン制御部がコピー動作の制御を開始する。
【００３３】
それによって、自動原稿給送装置（以下「ＡＤＦ」と略称する）４０では、原稿台４１に原稿束がセットされている場合には、まずその原稿束から原稿１枚のみを呼び出しローラ４２によって分離し、給送ローラ４３によってスキャナ１のコンタクトガラス３上に給送する。その後、その原稿を搬送ベルト４４によってコンタクトガラス３上の読み取り位置（露光位置）まで送ってセットする。
コンタクトガラス３上の読み取り位置に原稿がセットされると、メイン制御部はスキャナ１に対してスキャン動作の開始を指示する。
【００３４】
なお、このＡＤＦ４０は原稿押さえ板（圧板）としての機能も果たす。すなわち、使用者がこのＡＤＦ４０を上方に開放してコンタクトガラス３上の読み取り位置に原稿をセットし、ＡＤＦ４０を閉じることによってその原稿をセット位置に固定することができる。したがって、コンタクトガラス３上に原稿がセットされた状態でスタートキーが押下された時には、メイン制御部はスキャナ１に対して直ちにスキャン動作の開始を指示する。
【００３５】
スキャナ１は、スキャン動作の開始が指示されると、照明ランプ４及び第１ミラー５ａと一体になったキャリッジを水平方向に往復移動させることにより、コンタクトガラス３上の原稿の下面（画像面）を走査（スキャン）する。それによって、原稿面からの反射光像は第１ミラー５ａ，第２ミラー５ｂ，及び第３ミラー５ｃを介してレンズ６に導かれ、カラーラインセンサ７の受光面に結像される。
【００３６】
カラーラインセンサ７は、その結像光束をフルカラーのデータ成分であるＲ，Ｇ，Ｂの画像信号に変換して出力する。そのＲ，Ｇ，Ｂの画像信号は、図示しない信号処理部で増幅，暗電流補正，シェーディング補正，及びＡ／Ｄ変換され、図示しない画像処理部に出力される。
【００３７】
なお、原稿画像のフルカラーのデータ成分を輝度Ｙと色差Ｃｂ，Ｃｒのデータや、明度と色度の値で表わすＬ＊ａ＊ｂ＊によるデータとして読み取って、フルカラーの画像信号を出力するようにしてもよい。ここで、Ｌ＊ａ＊ｂ＊について簡単に説明すると、色を数値で表わそうとするとき、明度はＬ＊、色相と彩度を表わす色度はａ＊ｂ＊という単位で設定される。ａ＊とｂ＊はそれぞれ色の方向を示しており、ａ＊は赤−緑方向、ｂ＊は黄−青方向を表わす。
【００３８】
また、スキャナ２は、コンタクトガラス３上にセットされた原稿のサイズ及び方向を検知し、その検知結果を原稿サイズ検知信号としてメイン制御部に出力する機能も有している。
【００３９】
スキャナ１によってコンタクトガラス３上の読み取り位置にセットされた原稿の画像面に対するスキャン動作が終了すると、ＡＤＦ４０はその原稿を搬送ベルト４４によりコンタクトガラス３から送り出した後、排出ローラ４５によって排出トレイ４６に排出する。
【００４０】
画像処理部は、スキャナ１から出力されるＲ，Ｇ，Ｂの画像信号、あるいは一旦画像メモリに書き込んで記憶させた後読み出したＲ，Ｇ，Ｂの画像信号をＫ，Ｃ，Ｍ，Ｙの画像信号に変換する処理を含む各種画像処理を行ない、そのＫ，Ｃ，Ｍ，Ｙの画像信号をプリンタ２のレーザ書込ユニット８（書き込み部）に出力する。
【００４１】
プリンタ２は、内部に感光体ドラム（画像保持体）９を備え、その周囲にクリーニングユニット１０，除電ランプ１１，帯電チャージャ１２，電位センサ１３，Ｋ現像器１４，Ｃ現像器１５，Ｍ現像器１６，Ｙ現像器１７，現像濃度パターン検知器１８，及び中間転写ベルト（画像保持体）１９等を配設している。
【００４２】
各現像器１４〜１７は静電潜像を現像するため、トナーを感光体ドラム９に接触させるように回転する現像スリーブ１４ａ〜１７ａと、トナーを汲み上げて撹拌する現像パドル１４ｂ〜１７ｂ及びトナー濃度検知センサ１４ｃ〜１７ｃ等により構成されている。なお、この実施例ではレーザ光による書き込みと現像の順序（カラー画像形成順序）をＫ，Ｃ，Ｍ，Ｙとする。
【００４３】
スキャナ１によるスキャン動作が終了すると、メイン制御部は所定のタイミングでプリンタ２の感光体ドラム９を矢示Ａ方向に回動させ、その表面を帯電チャージャ１２によって一様に帯電し、そこにレーザ書込ユニット８によってＫ画像信号に応じて変調されたレーザ光をドラム軸方向に主走査しながら照射して露光し、静電潜像を形成する。
【００４４】
その後、帯電チャージャ１２によって一様に帯電された感光体ドラム９上にＫ画像信号に応じて形成されたＫ潜像の先端部が、Ｋ現像器１４の現像位置に到達すると、Ｋ潜像は回転する現像スリーブ１４ａによってＫトナーで現像され始め、Ｋ潜像の後端部が現像位置を通過した時点でＫ現像が終了し、Ｋトナー画像が形成される。
【００４５】
そして、感光体ドラム９上に形成されたＫトナー画像を、感光体ドラム９に隣接して回動する中間転写ベルト１９上に中間転写する。この中間転写は、感光体ドラム９と中間転写ベルト１９とが接触した時に、中間転写ローラ２０に所定のバイアス電圧を印加することによって行なわれる。その後、感光体ドラム９上の残留トナーをクリーニングユニット１０によって除去し、除電ランプ１１で除電してから再び帯電チャージャ１２による帯電が始まり、レーザ光による書き込み，現像，中間転写，クリーニングと続くサイクルを繰り返す。
【００４６】
それによって、感光体ドラム９上に順次形成されたＫ，Ｍ，Ｙ，Ｃの各トナー画像を中間転写ベルト１９上に順次位置合わせして転写することにより４色重ねの中間転写画像（フルカラー画像）が形成され、それを転写紙上に一括転写する。そのため、中間転写ベルト１９上にＫトナー画像を形成するＫ工程が終了すると、次に中間転写ベルト１９上にＣトナー画像を形成するＣ工程に進むが、そのＣトナー画像の先端部と中間転写ベルト１９上のＫトナー画像の先端部とが一致するように、レーザ書込ユニット８によるＣ潜像用のレーザ光による書き込み開始のタイミングが調整される。
【００４７】
同様に、Ｍ工程及びＹ工程が行なわれて、中間転写ベルト１９上に４色重ねの中間転写画像が形成される。但し、画像形成順序はＫ，Ｃ，Ｍ，Ｙに限定されるものではなく、トナーの特性と最終的に転写紙上に形成されるフルカラー画像の仕上り効果とに応じて、画像形成順序が予め決定される。
中間転写ベルト１９は、中間転写ローラ２０，駆動ローラ２１，及び従動ローラ群に張架されており、図示しない駆動モータにより矢示Ｂ方向に周動される。
【００４８】
ベルトクリーナ２２は、ブラシローラ２２ａ，ゴムブレード２２ｂ，及びベルトからの接離機構２２ｃ等から構成され、最初のＫトナー画像を中間転写する前は中間転写ベルト１９に接触しているが、中間転写が開始されると接離機構２２ｃによってベルト面から離される。
【００４９】
紙転写ユニット２３は、紙転写ローラ２３ａ，ローラクリーニングブレード２３ｂ，及びベルトからの接離機構２３ｃ等から構成されている。紙転写ローラ２３ａは、通常は中間転写ベルト１９から離れているが、中間転写ベルト１９上に形成された４色重ねの中間転写画像を転写紙上に一括転写する時に、タイミングを取ってその転写紙を中間転写ベルト１９に押圧し、該ローラ２３ａに所定のバイアス電圧を印加して中間転写画像をその転写紙上に転写させる。
【００５０】
４色重ねの中間転写像が転写紙上に転写され始めると、ベルトクリーナ２２は接離機構２２ｃにより紙転写を終った中間転写ベルト１９に接触し、ブラシローラ２２ａとゴムブレード２２ｂとによって残留しているトナーを回収することによりクリーニングを行なう。
【００５１】
その後、中間転写ベルト１９から４色重ねの中間転写像が一括紙転写された転写紙を搬送ベルト２７で定着ユニット２８に搬送し、所定温度にコントロールされた定着ローラ２８ａと加圧ローラ２８ｂとでトナー画像を加圧溶融定着してコピートレイ２９に排出し、フルカラーコピーが得られる。
【００５２】
なお、給紙カセット（給紙トレイ）３０〜３３には、それぞれ異なるサイズ又は方向の転写紙が収納されており、操作部からの操作信号によって指示されたサイズ又は方向の転写紙（用紙）が収納されている給紙カセットからその転写紙を所定のタイミングで給紙ローラ２５により給送し、その先端がレジストローラ対２６に突き当った状態で一旦停止させ、中間転写ベルト１９の４色重ね中間転写画像の先端部が紙転写位置に到達するタイミングに合わせて再給送する。３４はＯＨＰ用紙や厚紙などの手差し給紙トレイである。
【００５３】
図４は、このデジタル複写機の制御系の構成例を示すブロック図である。
このデジタル複写機の制御部は、メイン制御部６１，スキャナ制御部６２，画像処理部６３，レーザ駆動部６４，中間転写ベルト制御部６５，ＡＣ負荷制御部６６等から構成されている。
メイン制御部６１は、このデジタル複写機全体を統括的に制御する。
【００５４】
スキャナ制御部６２は、スキャナモータ７１の駆動制御及びカラーラインセンサ７による画像読み取り制御を行ない、カラーラインセンサ７から出力されるＲ，Ｇ，Ｂの画像信号及びその出力（読み取り）タイミングを示す信号を画像処理部６３へ送出する。
【００５５】
画像処理部６３は、スキャナ１のスキャナ制御部６２からのＲ，Ｇ，Ｂの画像信号をそのままＫ，Ｃ，Ｍ，Ｙの画像信号に変換したり、上記Ｒ，Ｇ，Ｂの画像信号を一旦画像メモリに書き込んで記憶させた後、所定のタイミングで読み出してＫ，Ｃ，Ｍ，Ｙの画像信号に変換する処理を含む各種画像処理を行ない、そのＫ，Ｃ，Ｍ，Ｙの画像信号をレーザ駆動部６４に送る。
【００５６】
レーザ駆動部６４は、同期検知センサ７２からの同期検知信号及び画像処理部６３からの各色の画像信号に応じて図２に示したレーザ書込ユニット８内のレーザダイオード６８を変調（ＯＮ／ＯＦＦ）駆動し、そのレーザダイオード６８から画像信号に応じて変調されたレーザ光を発生させる。
同期検知センサ７２は、感光体ドラム９上の画像形成開始位置を一定にするために、画像形成開始前の画像形成領域外でレーザ書込ユニット８内の図示しないポリゴンミラーで反射されたレーザ光を検知し、同期検知信号を出力する。
【００５７】
ポリゴンモータ７３は、メイン制御部６１からの駆動信号に応じた回転数で回転し、ポリゴンミラーを回転させる。
中間転写ベルト制御部６５は、メイン制御部６１からの駆動信号及びマークセンサ５０からのタイミング信号に応じてベルト駆動モータ７４をＯＮにして中間転写ベルト１９の回動を開始させたり、所定のタイミングでベルト駆動モータ７４をＯＦＦにして中間転写ベルト１９の回動を停止させる。
【００５８】
ＡＣ負荷制御部６６は、メイン制御部６１からの駆動信号に応じて定着ローラ２８ａに内蔵されているヒータを含むＡＣ負荷７５への通電を制御する。
複写プロセス機器７６は、帯電チャージャ１２，各現像器１４〜１７，紙転写ユニット２３等であり、メイン制御部６１からの指示によって（タイミング信号に応じて）駆動する。
【００５９】
シーケンス機器７７は、上述したスキャナモータ７１，ポリゴンモータ７３，及びベルト駆動モータ７４を除く各種モータ，ソレノイド，クラッチ等であり、メイン制御部６１からのタイミング信号に応じて駆動する。
操作部７８は、メイン制御部６１からの表示情報を表示する表示器と、各種情報を入力するキーとを備えている。
【００６０】
センサ・スイッチ類７９は、カラーラインセンサ７，同期検知センサ７２，マークセンサ５０を除く、各種センサ及びスイッチである。その各種センサには、給紙カセット３０〜３３内の転写紙の有無をそれぞれ検出するペーパエンドセンサ、及び給紙カセット３０〜３３内のカセットサイズ（転写紙サイズ及び方向）をそれぞれ検出するカセットサイズセンサが含まれている。
【００６１】
図１は、図４の画像処理部６３の構成例を示すブロック図である。
この画像処理部６３は、データバス制御部８１，メモリ制御部８２Ｒ，８２Ｇ，８２Ｂ，画像メモリ８３Ｒ，８３Ｇ，８３Ｂ，色補正部８４，及び階調処理部８５によって構成されている。
【００６２】
データバス制御部８１は、出力制御手段に相当するものであり、メイン制御部６１からの指示（制御信号）に基づいて以下の（１）〜（４）に示す制御を選択的に行なう。
（１）スキャナ１からのＲ，Ｇ，Ｂの画像信号をメモリ制御部８２Ｒ，８２Ｇ，８２Ｂ（画像メモリ８３Ｒ，８３Ｇ，８３Ｂ）と色補正部８４の両方に同時に出力する。
【００６３】
（２）メモリ制御部８２Ｒ，８２Ｇ，８２ＢからのＲ，Ｇ，Ｂの画像信号を色補正部８４に出力する。
（３）スキャナ１からのＲ，Ｇ，Ｂの画像信号を色補正部８４のみに出力する。
（４）スキャナ１からのＲ，Ｇ，Ｂの画像信号とメモリ制御部８２Ｒ，８２Ｇ，８２ＢからのＲ，Ｇ，Ｂの画像信号を演算して色補正部８４に出力する。
【００６４】
メモリ制御部８２Ｒは、メイン制御部６１からの制御信号に基づいてスキャナ１からデータバス制御部８１を介して送られてくるＲ画像信号の画像メモリ７３Ｒへの書き込み動作又は読み出し動作を選択的に行なう。また、その書き込み動作時又は読み出し動作時に、必要に応じてメモリアドレスを操作することによりＲ画像信号を回転させる。さらに、変倍処理機能も有している。
【００６５】
メモリ制御部８２Ｇは、メイン制御部６１からの制御信号に基づいてスキャナ１からデータバス制御部８１を介して送られてくるＧ画像信号の画像メモリ８３Ｇへの書き込み動作又は読み出し動作を選択的に行なう。また、その書き込み動作時又は読み出し動作時に、必要に応じてメモリアドレスを操作することによりＧ画像信号を回転させる。さらに、変倍処理機能も有している。
【００６６】
メモリ制御部８２Ｂは、メイン制御部６１からの制御信号に基づいてスキャナ１からデータバス制御部８１を介して送られてくるＢ画像信号の画像メモリ８３Ｂへの書き込み動作又は読み出し動作を選択的に行なう。また、その書き込み動作時又は読み出し動作時に、必要に応じてメモリアドレスを操作することによりＢ画像信号を回転させる。さらに、変倍処理機能も有している。
【００６７】
画像メモリ８３Ｒ，８３Ｇ，８３Ｂは、それぞれＲ，Ｇ，Ｂの画像信号を記憶（蓄積）する１６ＭＢのＤＲＡＭであり、画像記憶手段に相当する。
色補正部８４は、Ｒ，Ｇ，Ｂの画像信号をＫ，Ｃ，Ｍ，Ｙの画像信号に変換する色変換回路と、色変換回路からのＫ，Ｃ，Ｍ，Ｙの画像信号に対して空間フィルタに関する処理（ＭＴＦ補正）を行なうＭＴＦ補正回路とを備えている。
【００６８】
なお、その各回路に代えて、Ｒ，Ｇ，Ｂの画像信号に対してＭＴＦ補正を行なうＭＴＦ補正回路と、ＭＴＦ補正回路からのＲ，Ｇ，Ｂの画像信号をＫ，Ｃ，Ｍ，Ｙの画像信号に変換する色変換回路とを備えてもよい。
階調処理部８５は、色補正部８４からのＫ，Ｃ，Ｍ，Ｙの画像信号に対してプリンタγ補正処理，変倍処理，ディザ処理等の処理を行なう。
色補正部８４及び階調処理部８５が、画像処理手段としての機能を果たす。
【００６９】
以下、このデジタル複写機におけるこの発明に係るフルカラーコピーの出力制御について説明する。なお、給紙カセット３０〜３３には、Ａ３，Ａ４ヨコ，Ａ４タテ，Ｂ５ヨコが収納されているものとする。
【００７０】
（１）この発明に係るフルカラーコピーの出力制御の第１例
まず、このデジタル複写機におけるこの発明に係るフルカラーコピーの出力制御の第１例について、図５を参照して具体的に説明する。ここでは、最大画像サイズ（中間転写ベルト１９に転写できるトナー画像の最大サイズ）をＡ３とし、各画像メモリ８３Ｒ，８３Ｇ，８３Ｂのメモリ容量を最大画像サイズの画像信号までを記憶できるメモリ容量とする。
【００７１】
図５は、このデジタル複写機におけるＡＤＦ４０を圧板として使用した時のコピー（圧板１ｔｏ１コピー）動作を説明するための図である。
図４の操作部７８上のキー操作によってコピー部数（置数）「１」が設定され、且つ図２のコンタクトガラス３上に原稿がセットされた状態で、操作部７８上のスタートキーが押下された時に、図１のメイン制御部６１はスキャナ１に原稿の画像面をスキャンしてＲ，Ｇ，Ｂの画像信号を出力するスキャン動作を開始させる。
【００７２】
そして、データバス制御部８１によってスキャナ１からのＲ，Ｇ，Ｂの画像信号をメモリ制御部８２Ｒ，８２Ｇ，８２Ｂと色補正部８４の両方に出力させる。また、メモリ制御部８２Ｒ，８２Ｇ，８２Ｂに書き込みの指示を与える。それによって、メモリ制御部８２Ｒ，８２Ｇ，８２Ｂは、スキャナ１からデータバス制御部８１を介して送られてくるＲ，Ｇ，Ｂの画像信号をそれぞれ画像メモリ８３Ｒ，８３Ｇ，８３Ｂに書き込んで記憶させる（図５のメモリＩＮ）。
【００７３】
さらに、メイン制御部６１は、色補正部８４にＫ変換用パラメータ及び空間フィルタに関するパラメータ（フィルタ係数）をロードする。それによって、色補正部８４は、そのＫ変換用パラメータ及びフィルタ係数をそれぞれ設定し、スキャナ１からデータバス制御部８１を介して送られてくるＲ，Ｇ，Ｂの画像信号をＫ変換用パラメータを用いてＫ画像信号に変換し、そのＫ画像信号を上記フィルタ係数を用いてＭＴＦ補正（空間フィルタに関する処理）を行なった後、階調処理部８５へ出力する。
【００７４】
階調処理部８５は、メイン制御部６１からの指示により、色補正部８４からのＫ画像信号をγ補正等の処理を行なって図４のレーザ駆動部６４へ出力する。
それによって、最終的に図２の感光体ドラム９上にＫ画像信号に応じたＫトナー画像が形成され（作像が行なわれ）、そのＫトナー画像が中間転写ベルト１９上に中間転写される。
【００７５】
次に、メイン制御部６１は、メモリ制御部８２Ｒ，８２Ｇ，８２Ｂに読み出しの指示を与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し（図５のメモリＯＵＴ）、データバス制御部８１へ送出する。
メイン制御部６１は、データバス制御部８１によってメモリ制御部８２Ｒ，８２Ｇ，８２ＢからのＲ，Ｇ，Ｂの画像信号を色補正部８４に出力する。
【００７６】
また、色補正部８４にＣ変換用パラメータをロードする。それによって、色補正部８４は、Ｃ変換用パラメータに設定変更し、メモリ制御部８２Ｒ，８２Ｇ，８２Ｂからデータバス制御部８１を介して送られてくるＲ，Ｇ，Ｂの画像信号をＣ変換用パラメータを用いてＣ画像信号に変換し、そのＣ画像信号を上記フィルタ係数を用いてＭＴＦ補正を行なった後、階調処理部８５へ出力する。
【００７７】
階調処理部８５は、メイン制御部６１からの指示に基づいて、色補正部８４からのＣ画像信号をγ補正等の処理を行なってレーザ駆動部６４へ出力する。
それによって、最終的に感光体ドラム９上にＣ画像信号に応じたＣトナー画像が形成され、そのＣトナー画像が中間転写ベルト１９上に中間転写される。すなわち、Ｋトナー画像上にＣトナー画像が重ねられる。
【００７８】
続いて、メイン制御部６１は、メモリ制御部８２Ｒ，８２Ｇ，８２Ｂに再び読み出しの指示を与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し（図５のメモリＯＵＴ）、データバス制御部８１へ送出する。
メイン制御部６１は、データバス制御部８１によってメモリ制御部８２Ｒ，８２Ｇ，８２ＢからのＲ，Ｇ，Ｂの画像信号を色補正部８４に出力する。
【００７９】
また、色補正部８４にＭ変換用パラメータをロードする。それによって、色補正部８４は、Ｍ変換用パラメータに設定変更し、メモリ制御部８２Ｒ，８２Ｇ，８２Ｂからデータバス制御部８１を介して送られてくるＲ，Ｇ，Ｂの画像信号をＭ変換用パラメータを用いてＭ画像信号に変換し、そのＭ画像信号を上記フィルタ係数を用いてＭＴＦ補正を行なった後、階調処理部８５へ出力する。
【００８０】
階調処理部８５は、メイン制御部６１からの指示に基づいて、色補正部８４からのＭ画像信号をγ補正等の処理を行なってレーザ駆動部６４へ出力する。
それによって、最終的に感光体ドラム９上にＭ画像信号に応じたＭトナー画像が形成され、そのＭトナー画像が中間転写ベルト１９上に中間転写される。すなわち、Ｋ，Ｃのトナー画像上にＭトナー画像が重ねられる。
【００８１】
その後、メイン制御部６１は、メモリ制御部８２Ｒ，８２Ｇ，８２Ｂに再び読み出しの指示を与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し（図５のメモリＯＵＴ）、データバス制御部８１へ送出する。
メイン制御部６１は、データバス制御部８１によってメモリ制御部８２Ｒ，８２Ｇ，８２ＢからのＲ，Ｇ，Ｂの画像信号を色補正部８４に出力する。
【００８２】
また、色補正部８４にＹ変換用パラメータをロードする。それによって、色補正部８４は、Ｙ変換用パラメータに設定変更し、メモリ制御部８２Ｒ，８２Ｇ，８２Ｂからデータバス制御部８１を介して送られてくるＲ，Ｇ，Ｂの画像信号をＹ変換用パラメータを用いてＹ画像信号に変換し、そのＹ画像信号を上記フィルタ係数を用いてＭＴＦ補正を行なった後、階調処理部８５へ出力する。
【００８３】
階調処理部８５は、メイン制御部６１からの指示に基づいて、色補正部８４からのＹ画像信号をγ補正等の処理を行なってレーザ駆動部６４へ出力する。
それによって、最終的に感光体ドラム９上にＹ画像信号に応じたＹトナー画像が形成され、そのＹトナー画像が中間転写ベルト１９上に中間転写される。すなわち、Ｋ，Ｃ，Ｍのトナー画像上にＹトナー画像が重ねられる。
【００８４】
Ｙトナー画像の中間転写ベルト１９への中間転写が終了すると、その中間転写ベルト１９上では４色（Ｋ，Ｃ，Ｍ，Ｙ）のフルカラー画像が完成するため、そのフルカラー画像は給紙カセット３０〜３３のいずれかから給紙される転写紙上に一括転写された後、その転写紙は定着ユニット２８でフルカラー画像が定着され、フルカラーコピーとしてコピートレイ２９に排出される。
【００８５】
なお、コピー部数として「Ｎ（Ｎ≧２）」が設定された場合には、メイン制御部６１は上述した１枚のフルカラーコピーの出力制御を行なった後、以下の制御を行なう。
すなわち、メモリ制御部８２Ｒ，８２Ｇ，８２Ｂに再び読み出しの指示を与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し、データバス制御部８１に出力する。
【００８６】
次いで、メイン制御部６１は、データバス制御部８１によってメモリ制御部８２Ｒ，８２Ｇ，８２ＢからのＲ，Ｇ，Ｂの画像信号を色補正部８４に出力させると共に、色補正部８４にＫ変換用パラメータをロードする。
以後、メイン制御部６１が前述と同様な制御を行なうことにより、最終的に１枚目と同じフルカラーコピーがコピートレイ２９に排出される。
したがって、メイン制御部６１が上述した２枚目以降の制御をＮ−１回繰り返し行なうことにより、１枚の原稿のフルカラーコピーをＮ枚とることができる。
【００８７】
このように、メイン制御部６１が、データバス制御部８１にスキャナ１からのＲ，Ｇ，Ｂの画像信号をそのまま色補正部８４に出力させると同時に、メモリ制御部８２Ｒ，８２Ｇ，８２Ｂに出力させて画像メモリ８３Ｒ，８３Ｇ，８３Ｂに一旦記憶させ、その後そのメモリ制御部８２Ｒ，８２Ｇ，８２Ｂに画像メモリ８３Ｒ，８３Ｇ，８３Ｂ内のＲ，Ｇ，Ｂの画像信号を読み出させ、それを色補正部８４に出力させることにより、次のような効果を得ることができる。
【００８８】
すなわち、画像メモリ８３Ｒ，８３Ｇ，８３ＢにＲ，Ｇ，Ｂの画像信号を記憶するため、Ｋ，Ｃ，Ｍ，Ｙの画像信号を記憶する画像メモリよりもメモリ容量が小さくなり、しかも色補正部８４に備えた色変換回路がＲ，Ｇ，Ｂの画像信号をＫ，Ｃ，Ｍ，Ｙの画像信号に一括変換しなくてもよいため、装置全体のコストの上昇を抑えることができる。また、１枚の原稿に対してスキャン動作を１回行なうだけで、そのフルカラーコピーを何枚もとれるため、コピーの生産性及び装置の耐久性が大幅に向上する。
【００８９】
（２）この発明に係るフルカラーコピーの出力制御の第２例
次に、このデジタル複写機におけるこの発明に係るフルカラーコピーの出力制御の第２例について説明する。ここでは、スキャナ１及びメイン制御部６１が原稿サイズ判別手段としての機能も果たす。また、最大画像サイズをＡ３とし、各画像メモリ８３Ｒ，８３Ｇ，８３Ｂのメモリ容量を最大画像サイズの１／２サイズ（Ａ４ヨコ又はＡ４タテ）の画像信号までを記憶できるメモリ容量とする。なお、「タテ」は長手方向が搬送方向と一致する原稿，転写紙の方向を、「ヨコ」は長手方向が搬送方向と直交する原稿，転写紙の方向をそれぞれ示すものとする。
【００９０】
操作部７８上のキー操作によってコピー部数「１」が設定され、且つコンタクトガラス３上に原稿がセットされた状態で操作部７８上のスタートキーが押下された時に、メイン制御部６１はスキャナ１にスキャン動作を開始させる。
次いで、スキャナ１からの原稿サイズ検知信号に基づいてコンタクトガラス３上の原稿サイズ（スキャナ１からのＲ，Ｇ，Ｂの画像信号のサイズ）を判別する。
【００９１】
そして、原稿サイズがＡ４ヨコ，Ａ４タテ，又はＢ５ヨコの場合には、データバス制御部８１によってスキャナ１からのＲ，Ｇ，Ｂの画像信号をメモリ制御部８２Ｒ，８２Ｇ，８２Ｂ（画像メモリ８３Ｒ，８３Ｇ，８３Ｂ）と色補正部８４の両方に出力させ、以後前述した（１）の制御と同様の制御を行なう。
【００９２】
それによって、最終的に中間転写ベルト１９上ではＫ，Ｃ，Ｍ，Ｙのフルカラー画像が完成するため、そのフルカラー画像は給紙カセット３０〜３３のいずれかから給紙される転写紙（Ａ４ヨコ，Ａ４タテ，又はＢ５ヨコの転写紙）上に一括転写された後、その転写紙は定着ユニット２８でフルカラー画像が定着され、フルカラーコピーとしてコピートレイ２９に排出される。
【００９３】
なお、コピー部数として「Ｎ（Ｎ≧２）」が設定された場合には、メイン制御部６１が上述した１枚のフルカラーコピーの出力制御を行なった後、メモリ制御部８２Ｒ，８２Ｇ，８２Ｂに再び読み出しの指示を与え、以後（１）の制御と同様な制御を行ない、この２枚目以降の制御をＮ−１回繰り返し行なうことにより、１枚の原稿のフルカラーコピーをＮ枚とることができる。
【００９４】
一方、メイン制御部６１は、原稿サイズがＡ３の場合には、データバス制御部８１によってスキャナ１からのＲ，Ｇ，Ｂの画像信号を色補正部８４のみに出力させた後、スキャナ１にスキャナ動作をあと３回行なわせてＲ，Ｇ，Ｂの画像信号を順次出力させ、それらをデータバス制御部８１によって順次色補正部８４へ出力させる。
【００９５】
それによって、最終的に中間転写ベルト１９上ではＫ，Ｃ，Ｍ，Ｙのフルカラー画像が完成するため、そのフルカラー画像は給紙カセット３０〜３３のいずれかから給紙される転写紙（Ａ３の転写紙）上に一括転写された後、その転写紙は定着ユニット２８でフルカラー画像が定着され、フルカラーコピーとしてコピートレイ２９に排出される。
なお、コピー部数として「Ｎ（Ｎ≧２）」が設定された場合には、メイン制御部６１が以上の制御をＮ回繰り返す。
【００９６】
このように、メイン制御部６１が、原稿サイズに応じてデータバス制御部８１によりスキャナ１からのＲ，Ｇ，Ｂの画像信号をメモリ制御部８２Ｒ，８２Ｇ，８２Ｂと色補正部８４の両方あるいは色補正部８４のみに出力することにより、次のような効果も得ることができる。
【００９７】
すなわち、スキャナ１から出力される画像信号がＡ４ヨコ，Ａ４タテ，Ｂ５ヨコの画像信号であれば、それをメモリ制御部８２Ｒ，８２Ｇ，８２Ｂと色補正部８４の両方に出力することにより、１枚の原稿に対してスキャン動作を１回行なうだけで、そのフルカラーコピーを何枚もとることができる。スキャナ１から出力される画像信号がＡ３の画像信号であれば、その画像信号を色補正部８４のみに出力することにより、１枚の原稿に対するスキャン動作は１回で済まないが、そのフルカラーコピーをとることが可能になり、装置の使い勝手が向上する。
【００９８】
（３）この発明に係るフルカラーコピーの出力制御の第３例
次に、このデジタル複写機におけるこの発明に係るフルカラーコピーの出力制御の第３例について説明する。ここでは、スキャナ１及びメイン制御部６１が原稿入替有無判断手段及び動作決定手段としての機能も果たす。また、最大画像サイズをＡ３とし、各画像メモリ８３Ｒ，８３Ｇ，８３Ｂのメモリ容量を最大画像サイズ又はその１／２サイズの画像信号までを記憶できるメモリ容量とする。
【００９９】
操作部７８上のキー操作によってコピー部数「１」が設定され、且つコンタクトガラス３上に原稿がセットされた状態で操作部７８上のスタートキーが押下された時に、メイン制御部６１はＡＤＦ４０（圧板）の開閉を検知する図示しないセンサからの信号によって原稿の入れ替えの有無を判断し、その判断結果に基づいてスキャナ１によるスキャン動作あるいは画像メモリ８３Ｒ，８３Ｇ，８３Ｂに記憶されている画像信号の読み出し動作のいずれを実行させるかを決定し、その決定した動作を実行させる。
【０１００】
すなわち、原稿の入れ替えがあればスキャナ１にスキャン動作を行なわせ、原稿の入れ替えがなければ（但し電源投入後少なくとも１回はスキャン動作が行なわれていることが必要）メモリ制御部８２Ｒ，８２Ｇ，８２Ｂによって画像メモリ８３Ｒ，８３Ｇ，８３Ｂに記憶されているＲ，Ｇ，Ｂの画像信号の読み出し動作をそれぞれ行なわせる。
以後、前述した（１）又は（２）の制御と同じ制御を行なう。
【０１０１】
このように、メイン制御部６１が、ＡＤＦ４０（圧板）の開閉を検知するセンサからの信号によって原稿の入れ替えの有無を判断し、その判断結果に基づいてスキャナ１によるスキャン動作あるいは画像メモリ８３Ｒ，８３Ｇ，８３Ｂに記憶されている画像信号の読み出し動作のいずれを実行させることにより、原稿の入れ替えがない時にはスキャナ１にスキャン動作を行なわせなくても前回と同じ原稿のフルカラーコピーをとることができる。
【０１０２】
使用者は、操作部７８上のキー操作によってコピー条件を設定して原稿のフルカラーコピーをとるが、そのコピー画像を評価し、希望通りのものでなかった場合には、操作部７８上のキー操作によってコピー条件を変更し、同じ原稿のカラーコピーを再度とることがよくある。この場合、画像メモリ８３Ｒ，８３Ｇ，８３Ｂには既に上記原稿から読み取ったＲ，Ｇ，Ｂの画像信号がそれぞれ記憶されているため、それを読み出して使用することにより、前回と同じ原稿のフルカラーコピーをとることができる。したがって、処理効率が高まり、コピーの生産性及び装置の耐久性がより向上する。
【０１０３】
（４）この発明に係るフルカラーコピーの出力制御の第４例
次に、このデジタル複写機におけるこの発明に係るフルカラーコピーの出力制御の第４例について、図６を参照して説明する。ここでは、スキャナ１及びメイン制御部６１が画像回転手段，原稿サイズ・方向判別手段，回転実行可否判断手段，及びパラメータ決定手段としての機能も果たす。また、最大画像サイズをＡ３とし、各画像メモリ８３Ｒ，８３Ｇ，８３Ｂのメモリ容量を最大画像サイズの画像信号までを記憶できるメモリ容量とする。
【０１０４】
図６は、このデジタル複写機におけるＡＤＦ４０を圧板として使用した時の他のコピー（圧板１ｔｏ２コピー）動作を説明するための図である。
操作部７８上のキー操作によってコピー部数「２」が設定され、且つコンタクトガラス３上に原稿がセットされた状態で操作部７８上のスタートキーが押下された時に、メイン制御部６１はスキャナ１にスキャン動作を開始させる。
【０１０５】
次いで、スキャナ１からの原稿サイズ検知信号に基づいてコンタクトガラス３上の原稿サイズ及び方向を判別し、原稿サイズがＡ３であればデータバス制御部８１によってスキャナ１からのＲ，Ｇ，Ｂの画像信号をメモリ制御部８２Ｒ，８２Ｇ，８２Ｂと色補正部８４の両方に出力させ、以後前述した（１）の制御と同じ制御を行なうことにより、１枚の原稿のフルカラーコピーを２枚とることができる。
【０１０６】
また、原稿サイズ及び方向がＡ４タテ，Ａ４ヨコ，又はＢ５の場合には、スキャナ１からのＲ，Ｇ，Ｂの画像信号を回転させる必要があるかないかを判断して、回転させる必要がなければ（現在の方向で中間転写ベルト１９に上記原稿のフルカラー画像を２つ形成できる）データバス制御部８１によってスキャナ１からのＲ，Ｇ，Ｂの画像信号をメモリ制御部８２Ｒ，８２Ｇ，８２Ｂと色補正部８４の両方に出力させる。
【０１０７】
また、メモリ制御部８２Ｒ，８２Ｇ，８２Ｂに書き込みの指示を与える。それによって、メモリ制御部８２Ｒ，８２Ｇ，８２Ｂは、スキャナ１からデータバス制御部８１を介して送られてくるＲ，Ｇ，Ｂの画像信号をそれぞれ画像メモリ８３Ｒ，８３Ｇ，８３Ｂに書き込んで記憶させる（図６のメモリＩＮ）。
【０１０８】
さらに、メイン制御部６１は、色補正部８４にＫ変換用パラメータ及びフィルタ係数をロードする。それによって、色補正部８４は、そのＫ変換用パラメータ及びフィルタ係数をそれぞれ設定し、スキャナ１からデータバス制御部８１を介して送られてくるＲ，Ｇ，Ｂの画像信号をＫ変換用パラメータを用いてＫ画像信号に変換し、そのＫ画像信号を上記フィルタ係数を用いてＭＴＦ補正を行なった後、階調処理部８５へ出力する。
【０１０９】
続いて、メイン制御部６１は、メモリ制御部８２Ｒ，８２Ｇ，８２Ｂに読み出しの指示を与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し（図６のメモリＯＵＴ）、データバス制御部８１へ送出する。
メイン制御部６１は、データバス制御部８１によってメモリ制御部８２Ｒ，８２Ｇ，８２ＢからのＲ，Ｇ，Ｂの画像信号を色補正部８４に出力する。
【０１１０】
色補正部８４は、メモリ制御部８２Ｒ，８２Ｇ，８２Ｂからデータバス制御部８１を介して送られてくるＲ，Ｇ，Ｂの画像信号を再びＫ変換用パラメータを用いてＫ画像信号に変換し、そのＫ画像信号を上記フィルタ係数を用いてＭＴＦ補正を行なった後、階調処理部８５へ出力する。
【０１１１】
それによって、最終的に感光体ドラム９上にＫ画像信号に応じたＫトナー画像が形成され、そのＫトナー画像が中間転写ベルト１９上に中間転写された後、再び感光体ドラム９上に上記Ｋトナー画像と同じＫトナー画像が形成され、そのＫトナー画像が中間転写ベルト１９上（先に転写されたＫトナー画像と重ならない位置）に中間転写される。
【０１１２】
次に、メイン制御部６１は、メモリ制御部８２Ｒ，８２Ｇ，８２Ｂに読み出しの指示を所定の間隔を置いて２回与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し（図６のメモリＯＵＴ）、データバス制御部８１へ送出する制御を所定の間隔を置いて２回行なう。
メイン制御部６１は、データバス制御部８１によってメモリ制御部８２Ｒ，８２Ｇ，８２ＢからのＲ，Ｇ，Ｂの画像信号を色補正部８４に出力させる。
【０１１３】
また、色補正部８４にＣ変換用パラメータをロードする。それによって、色補正部８４は、Ｃ変換用パラメータに設定変更し、メモリ制御部８２Ｒ，８２Ｇ，８２Ｂからデータバス制御部８１を介して所定の間隔を置いて２回送られてくるＲ，Ｇ，Ｂの画像信号をＣ変換用パラメータを用いて順次Ｃ画像信号に変換し、その各Ｃ画像信号を順次上記フィルタ係数を用いてＭＴＦ補正を行なった後、階調処理部８５へ出力する。
【０１１４】
それによって、最終的に感光体ドラム９上にＣ画像信号に応じたＣトナー画像が形成され、そのＣトナー画像が中間転写ベルト１９上に中間転写された後、再び感光体ドラム９上に上記Ｃトナー画像と同じＣトナー画像が形成され、そのＣトナー画像が中間転写ベルト１９上（先に転写されたＣトナー画像と重ならない位置）に中間転写される。つまり、２つの同じＫトナー画像上にそれぞれ同じＣトナー画像が重ねられる。
【０１１５】
続いて、メイン制御部６１は、メモリ制御部８２Ｒ，８２Ｇ，８２Ｂに再び読み出しの指示を所定の間隔を置いて２回与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し（図６のメモリＯＵＴ）、データバス制御部８１へ送出する制御を所定の間隔を置いて２回行なう。
メイン制御部６１は、データバス制御部８１によってメモリ制御部８２Ｒ，８２Ｇ，８２ＢからのＲ，Ｇ，Ｂの画像信号を色補正部８４に出力させる。
【０１１６】
また、色補正部８４にＭ変換用パラメータをロードする。それによって、色補正部８４は、Ｍ変換用パラメータに設定変更し、メモリ制御部８２Ｒ，８２Ｇ，８２Ｂからデータバス制御部８１を介して所定の間隔を置いて２回送られてくるＲ，Ｇ，Ｂの画像信号をＭ変換用パラメータを用いて順次Ｍ画像信号に変換し、その各Ｍ画像信号を順次上記フィルタ係数を用いてＭＴＦ補正を行なった後、階調処理部８５へ出力する。
【０１１７】
それによって、最終的に感光体ドラム９上にＭ画像信号に応じたＭトナー画像が形成され、そのＭトナー画像が中間転写ベルト１９上に中間転写された後、再び感光体ドラム９上に上記Ｍトナー画像と同じＭトナー画像が形成され、そのＭトナー画像が中間転写ベルト１９上（先に転写されたＭトナー画像と重ならない位置）に中間転写される。つまり、２ずつの同じＫ，Ｃトナー画像上にそれぞれ同じＭトナー画像が重ねられる。
【０１１８】
その後、メイン制御部６１は、メモリ制御部８２Ｒ，８２Ｇ，８２Ｂに再び読み出しの指示を所定の間隔を置いて２回与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し（図６のメモリＯＵＴ）、データバス制御部８１へ送出する制御を所定の間隔を置いて２回行なう。
メイン制御部６１は、データバス制御部８１によってメモリ制御部８２Ｒ，８２Ｇ，８２ＢからのＲ，Ｇ，Ｂの画像信号を色補正部８４に出力させる。
【０１１９】
また、色補正部８４にＹ変換用パラメータをロードする。それによって、色補正部８４は、Ｙ変換用パラメータに設定変更し、メモリ制御部８２Ｒ，８２Ｇ，８２Ｂからデータバス制御部８１を介して所定の間隔を置いて２回送られてくるＲ，Ｇ，Ｂの画像信号をＹ変換用パラメータを用いて順次Ｙ画像信号に変換し、その各Ｙ画像信号を順次上記フィルタ係数を用いてＭＴＦ補正を行なった後、階調処理部８５へ出力する。
【０１２０】
それによって、最終的に感光体ドラム９上にＹ画像信号に応じたＹトナー画像が形成され、そのＹトナー画像が中間転写ベルト１９上に中間転写された後、再び感光体ドラム９上に上記Ｙトナー画像と同じＹトナー画像が形成され、そのＹトナー画像が中間転写ベルト１９上（先に転写されたＹトナー画像と重ならない位置）に中間転写される。つまり、２ずつの同じＫ，Ｃ，Ｍトナー画像上にそれぞれ同じＹトナー画像が重ねられる。
【０１２１】
Ｙトナー画像の中間転写ベルト１９への中間転写が終了すると、その中間転写ベルト１９上では同一のフルカラー画像が２つ完成するため、その各フルカラー画像は給紙カセット３０〜３３のいずれかから順次給紙される２枚の転写紙（Ａ４ヨコ又はＢ５ヨコの転写紙）上に順次一括転写された後、その各転写紙は定着ユニット２８で順次フルカラー画像が定着され、フルカラーコピーとしてコピートレイ２９に排出される。
【０１２２】
なお、コピー部数として「Ｎ（４以上の偶数）」が設定された場合には、メイン制御部６１は上述した２枚（１，２枚目）のフルカラーコピーの出力制御を行なった後、以下の３，４枚目のフルカラーコピーの出力制御を行なう。
【０１２３】
すなわち、メイン制御部６１は、メモリ制御部８２Ｒ，８２Ｇ，８２Ｂに再び読み出しの指示を所定の間隔を置いて２回与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号をそれぞれ読み出し、データバス制御部８１へ送出する制御を所定の間隔を置いて２回行なう。
【０１２４】
メイン制御部６１は、データバス制御部８１によってメモリ制御部８２Ｒ，８２Ｇ，８２ＢからのＲ，Ｇ，Ｂの画像信号を色補正部８４に出力させると共に、色補正部８４に再びＫ変換用パラメータをロードする。
以後、メイン制御部６１が前述と同様な制御を行なうことにより、最終的に１，２枚目と同じフルカラーコピーが２枚コピートレイ２９に排出される。
したがって、メイン制御部６１が以上の制御をＮ／２回繰り返し行なうことにより、１枚の原稿のフルカラーコピーをＮ枚とることができる。
【０１２５】
また、コピー部数として「３」が設定された場合には、メイン制御部６１は前述した最初の２枚（１，２枚目）のフルカラーコピーの出力制御を１回行なった後、前述した１枚のフルカラーコピーの出力制御を行なうことにより、１枚の原稿のフルカラーコピーを３枚とることができる。
【０１２６】
さらに、コピー部数として「Ｎ（５以上の奇数）」が設定された場合には、メイン制御部６１は前述した最初の２枚（１，２枚目）のフルカラーコピーの出力制御を行なった後、前述した３，４枚目のフルカラーコピーの出力制御を（Ｎ−１）／２回行ない、さらに前述した１枚のフルカラーコピーの出力制御を行なうことにより、１枚の原稿のフルカラーコピーをＮ枚とることができる。
【０１２７】
一方、メイン制御部６１は、スキャナ１からのＲ，Ｇ，Ｂの画像信号を回転させる必要がある場合には（そのＲ，Ｇ，Ｂの画像信号を回転させることによってコンタクトガラス３上にセットされた原稿のフルカラー画像を中間転写ベルト１９に２つ形成することができる）、現在選択している給紙カセットの転写紙（Ａ４タテの転写紙）とサイズが同一で方向が異なる転写紙（Ａ４ヨコの転写紙）が収納された他の給紙カセットの有無を判断し、その給紙カセットがない場合には、以後原稿サイズがＡ３の時と同様の制御を行なう。
【０１２８】
また、上記他の給紙カセットがある場合には、データバス制御部８１によってスキャナ１からのＲ，Ｇ，Ｂの画像信号をメモリ制御部８２Ｒ，８２Ｇ，８２Ｂに出力させると共に、メモリ制御部８２Ｒ，８２Ｇ，８２Ｂに書き込みの指示を与える。それによって、メモリ制御部８２Ｒ，８２Ｇ，８２Ｂは、スキャナ１からデータバス制御部８１を介して送られてくるＲ，Ｇ，Ｂの画像信号をそれぞれ画像メモリ８３Ｒ，８３Ｇ，８３Ｂに書き込んで記憶させる。このとき、例えば図７の（ａ）に示すように、アドレス０００，１００，２００，３００，……という順序で書き込み動作を行なう。
【０１２９】
次に、メイン制御部６１は、メモリ制御部８２Ｒ，８２Ｇ，８２Ｂに読み出しの指示を所定の間隔を置いて２回与える。それによって、メモリ制御部８２Ｒ，８２Ｇ，８２Ｂは、画像メモリ８３Ｒ，８３Ｇ，８３Ｂに記憶されたＲ，Ｇ，Ｂの画像信号を所定の間隔を置いて２回読み出す。このとき、例えば図７の（ｂ）に示すように、アドレス０９９，０９８，……という順序（書き込み動作時と直交する順序）で読み出し動作を行なう。
【０１３０】
ここで、画像メモリ８３Ｒ，８３Ｇ，８３ＢへのＲ，Ｇ，Ｂの画像信号の書き込み方向と読み出し方向とを直交させているが、これによって色補正部８４へ出力するＲ，Ｇ，Ｂの画像信号を９０度又は２７０度回転させることができる。つまり、原稿サイズによって画像メモリ８３Ｒ，８３Ｇ，８３Ｂに書き込むＲ，Ｇ，Ｂの画像信号の画素数が決定されるため、画像メモリ８３Ｒ，８３Ｇ，８３Ｂへの書き込み動作時又は読み出し動作時にメモリアドレスを操作することにより、Ｒ，Ｇ，Ｂの画像信号を９０度又は２７０度回転させることができる。
【０１３１】
また、メイン制御部６１は、色補正部８４にＫ変換用パラメータ及びフィルタ係数をロードする。それによって、色補正部８４は、そのＫ変換用パラメータ及びフィルタ係数をそれぞれ設定し、メモリ制御部８２Ｒ，８２Ｇ，８２Ｂからデータバス制御部８１を介して所定の間隔を置いて２回送られてくるＲ，Ｇ，Ｂの画像信号をＫ変換用パラメータを用いて順次Ｋ画像信号に変換し、その各Ｋ画像信号を順次上記フィルタ係数を用いてＭＴＦ補正を行なった後、階調処理部８５へ出力する。
【０１３２】
それによって、最終的に感光体ドラム９上にＫ画像信号に応じたＫトナー画像が形成され、そのＫトナー画像が中間転写ベルト１９上に中間転写された後、再び感光体ドラム９上に上記Ｋトナー画像と同じＫトナー画像が形成され、そのＫトナー画像が中間転写ベルト１９上（先に転写されたＫトナー画像と重ならない位置）に中間転写される。
【０１３３】
次に、メイン制御部６１は、メモリ制御部８２Ｒ，８２Ｇ，８２Ｂに再び読み出しの指示を所定の間隔を置いて２回与える。それによって、メモリ制御部８２Ｒ，８２Ｇ，８２Ｂは、前述と同様に画像メモリ８３Ｒ，８３Ｇ，８３Ｂに記憶されたＲ，Ｇ，Ｂの画像信号をそれぞれ読み出す。
【０１３４】
また、メイン制御部６１は、色補正部８４にＣ変換用パラメータをロードする。それによって、色補正部８４は、そのＣ変換用パラメータに設定変更し、メモリ制御部８２Ｒ，８２Ｇ，８２Ｂからデータバス制御部８１を介して所定の間隔を置いて２回送られてくるＲ，Ｇ，Ｂの画像信号をＣ変換用パラメータを用いて順次Ｃ画像信号に変換し、その各Ｃ画像信号を順次上記フィルタ係数を用いてＭＴＦ補正を行なった後、階調処理部８５へ出力する。
【０１３５】
以後、前述と同様な制御により、色補正部８４からＭ，Ｙの画像信号が２回ずつ階調処理部８５へ出力され、最終的にＫ，Ｃ，Ｍ，Ｙのフルカラー画像が中間転写ベルト１９上で２つ完成し、その各フルカラー画像は給紙カセット３０〜３３のいずれかから順次給紙される２枚の転写紙（Ａ４ヨコの転写紙）上に順次一括転写された後、その各転写紙は定着ユニット２８で順次フルカラー画像が定着され、フルカラーコピーとしてコピートレイ２９に排出される。
【０１３６】
なお、コピー部数として「Ｎ（Ｎ≧３）」が設定された場合には、メイン制御部６１は前述した２枚（１，２枚目）のフルカラーコピーの出力制御あるいは前述した１枚のフルカラーコピーの出力制御と殆ど同じ制御（画像信号の回転に関する処理を含む）を行なうことにより、１枚の原稿のフルカラーコピーをＮ枚とることができる。
【０１３７】
このように、メイン制御部６１が、原稿サイズ及び方向に応じて画像メモリ８３Ｒ，８３Ｇ，８３Ｂへの書き込み動作時あるいは読み出し動作時に画像信号を回転させるか否かを判断するようにし、スキャナ１から出力される画像信号がＡ４以下の画像信号の時に、その画像信号を画像メモリ８３Ｒ，８３Ｇ，８３Ｂへの書き込み動作時あるいは読み出し動作時に必要に応じて回転させ、その画像信号を色補正部８４に画像形成色毎に２回出力して最終的にプリンタ２内の中間転写ベルト１９上に同一のフルカラー画像を２つ形成することにより、コピーの生産性をさらに向上させることができる。
【０１３８】
ここで、コンタクトガラス３上の原稿を９０度置き換えてスキャナ１にスキャン動作を行なわせて得られる画像信号と、スキャナ１からの画像信号を９０度回転させて得られる画像信号は、同一にはならない。特に、ＭＴＦは主走査と副走査で異なることが多い。実施形態の場合は、主走査方向のＭＴＦが副走査方向のＭＴＦよりも高いため、空間フィルタに関する処理（ＭＴＦ補正）はそれぞれの場合に合わせて行なうことが望ましい。
【０１３９】
そこで、画像信号の回転を行なわせるか否かを判断し、その判断結果に応じて異なる空間フィルタを利用できるようにフィルタ係数を決定し、それを色補正部８４のＭＴＦ補正回路に設定することにより、フルカラーコピーの画質を向上させることもできる。なお、例えば図８の（ａ）（ｂ）にそれぞれ示すような通常時のフィルタ係数，回転時のフィルタ係数をＭＴＦ補正回路に持たせ、そのいずれかを上記判断結果に応じてメイン制御部６１が選択するようにしたり、フィルタ係数そのものをＭＴＦ補正回路にダウンロードするようにするとよい。
【０１４０】
なお、メイン制御部６１が、前述の各フルカラーコピーの出力制御時に、給紙中の給紙カセットに転写紙がなくなると（ペーパエンドになった時）、サイズが同一で方向が異なる転写紙が収納された他の給紙カセットの有無を判断し、その給紙カセットがあればその給紙トレイからの給紙に変更すると共に、画像メモリ８３Ｒ，８３Ｇ，８３Ｂに記憶されているＲ，Ｇ，Ｂの画像信号を９０度又は２７０度回転させることにより、リピートコピーの中断を防止することもできる。
【０１４１】
さらに、画像信号の回転を画像メモリ８３Ｒ，８３Ｇ，８３Ｂからの読み出し時に行なうようにすれば、給紙カセットが切り替わった場合でも、スキャナ１にスキャン動作を再び行なわせる必要がないため、制御効率がより高まる。
この場合、スキャナ１，プリンタ２，及びメイン制御部６１が、用紙サイズ・方向判別手段，用紙有無判断手段，他トレイ有無判断手段，給紙変更手段，画像回転手段としての機能を果たす。
【０１４２】
なお、この実施形態では、色補正部８４が、Ｒ，Ｇ，Ｂの画像信号をＫ，Ｃ，Ｍ，Ｙの画像信号に変換した後、そのＫ，Ｃ，Ｍ，Ｙの画像信号に対してＭＴＦ補正を行なうようにしたが、前述したような回路構成の変更により、Ｒ，Ｇ，Ｂの画像信号に対してＭＴＦ補正を行なった後、そのＲ，Ｇ，Ｂの画像信号をＫ，Ｃ，Ｍ，Ｙの画像信号に変換することもできる。
【０１４３】
以上、この発明をデジタルカラー複写機に適用した実施形態について説明したが、この発明はこれに限らず、デジタルカラーファクシミリ装置，あるいはそれらを統合した複合機などの電子写真方式を用いたカラー画像形成装置に適用し得るものである。
【０１４４】
【発明の効果】
以上説明してきたように、この発明のカラー画像形成装置によれば、コストの上昇を抑えると共に、コピーの生産性及び装置の耐久性を向上させることができる。
【図面の簡単な説明】
【図１】図４の画像処理部６３の構成例を示すブロック図である。
【図２】この発明の一実施形態であるデジタルカラー複写機の機構部を示す概略構成図である。
【図３】図２の感光体ドラム及び中間転写ベルト回りの部分拡大図である。
【図４】図２に示したデジタル複写機の制御系の構成例を示すブロック図である。
【図５】図２に示したデジタル複写機におけるＡＤＦ４０を圧板として使用した時のコピー（圧板１ｔｏ１コピー）動作を説明するための図である。
【図６】同じくＡＤＦ４０を圧板として使用した時の他のコピー（圧板１ｔｏ２コピー）動作を説明するための図である。
【図７】図１の色補正部８４への画像信号を回転させるための画像メモリ８３Ｒ，８３Ｇ，８３Ｂへの書き込み動作と読み出し動作を説明するための図である。
【図８】図１の色補正部８４で使用する空間フィルタの係数の異なる例を示す図である。
【符号の説明】
１：スキャナ            ２：プリンタ
７：カラーラインセンサ  ８：レーザ書込ユニット
９：感光体ドラム        １０：クリーニングユニット
１１：除電ランプ        １２：帯電チャージャ
１４：Ｋ現像器          １５：Ｃ現像器
１６：Ｍ現像器          １７：Ｙ現像器
１９：中間転写ベルト    ２０：中間転写ローラ
２３：紙転写ユニット    ２３ａ：紙転写ローラ
４０：自動原稿給送装置（ＡＤＦ）
６１：メイン制御部      ６２：スキャナ制御部
６３：画像処理部        ６４：レーザ駆動部
６８：レーザダイオード  ７８：操作部
７９：センサ・スイッチ類    ８１：データバス制御部
８２Ｒ，８２Ｇ，８２Ｂ：メモリ制御部
８３Ｒ，８３Ｇ，８３Ｂ：画像メモリ
８４：色補正部          ８５：階調処理部
【図１】
0003583574.tif 000002
【図２】
0003583574.tif 000003
【図３】
0003583574.tif 000004
【図４】
0003583574.tif 000005
【図５】
0003583574.tif 000006
【図８】
0003583574.tif 000007
【図６】
0003583574.tif 000008
【図７】
0003583574.tif 000009